(57)【要約】【課題】安定したアプリケーション制御が可能となるように、アプリケーションのオンラインモード及びオフラインモードの切り替えを行う。【解決手段】通信制御部が、ネットワーク上のサーバ装置との間で所定のデータの通信を行うように通信部を通信制御する。また、切り替え制御部が、確立された通信回線を介して、サーバ装置との間で所定のデータの通信を行うオンラインモードと、サーバ装置との間で所定のデータの通信処理を行わないオフラインモードとに、所定のデータの通信モードを切り替え制御する。そして、切り替え制御部は、通信状態が悪化した際に、オンラインモードからオフラインモードに通信モードを切り替え制御し、オフラインモードに切り替えられた通信モードを、オンラインモードに遷移させる所定の手動操作を検出した際に、オフラインモードからオンラインモードに通信モードを切り替え制御する。【選択図】図５
2020177592.tif 000002
【特許請求の範囲】
【請求項１】
コンピュータを、
ネットワーク上のサーバ装置との間で所定のデータの通信を行うように通信部を通信制御する通信制御部と、
確立された通信回線を介して、前記サーバ装置との間で所定のデータの通信を行うオンラインモードと、前記サーバ装置との間で所定のデータの通信処理を行わないオフラインモードとに、前記所定のデータの通信モードを切り替え制御する切り替え制御部として機能させ、
前記切り替え制御部は、通信状態が悪化した際に、前記オンラインモードから前記オフラインモードに通信モードを切り替え制御し、前記オフラインモードに切り替えられた前記通信モードを、前記オンラインモードに遷移させる所定の手動操作を検出した際に、前記オフラインモードから前記オンラインモードに通信モードを切り替え制御すること
を特徴とするアプリケーションプログラム。
【請求項２】
前記切り替え制御部は、前記サーバ装置に対して送信されたリクエストに対応するレスポンスを、前記サーバ装置から所定時間以内に受信できない場合に、通信状態が悪化したと判別し、前記オンラインモードから前記オフラインモードに通信モードを切り替え制御すること
を特徴とする請求項１に記載のアプリケーションプログラム。
【請求項３】
前記通信制御部は、前記オフラインモード時に、前記サーバ装置と未同期である旨の報知動作を行うように、報知部を制御すること
を特徴とする請求項１又は請求項２に記載のアプリケーションプログラム。
【請求項４】
前記コンピュータを、
前記オフラインモードを前記オンラインモードに遷移させる操作を行うための操作画面を表示する表示制御部として、さらに機能させ、
前記切り替え制御部は、前記操作画面を介して、前記オフラインモードから前記オンラインモードに前記通信モードを遷移させる所定の手動操作がされた場合に、前記オフラインモードから前記オンラインモードに通信モードを切り替え制御すること
を特徴とする請求項１から請求項３のうち、いずれか一項に記載のアプリケーションプログラム。
【請求項５】
ネットワーク上のサーバ装置との間で所定のデータの通信を行うように通信部を通信制御する通信制御部と、
確立された通信回線を介して、前記サーバ装置との間で所定のデータの通信を行うオンラインモードと、前記サーバ装置との間で所定のデータの通信処理を行わないオフラインモードとに、所定のデータの通信モードを切り替え制御する切り替え制御部と、を有し、
前記切り替え制御部は、通信状態が悪化した際に、前記オンラインモードから前記オフラインモードに通信モードを切り替え制御し、前記オフラインモードに切り替えられた前記通信モードを、前記オンラインモードに遷移させる所定の手動操作を検出した際に、前記オフラインモードから前記オンラインモードに通信モードを切り替え制御すること
を特徴とする情報処理装置。
【発明の詳細な説明】
【技術分野】
【０００１】
本発明は、情報処理装置及びアプリケーションプログラムに関する。
【背景技術】
【０００２】
今日において、例えば携帯端末装置等の情報処理装置において、オンラインで同期処理を行うアプリケーションプログラムが知られている。このアプリケーションプログラムでは、電波状況が悪い場合でもアプリケーション制御を可能とするために、オンライン時にアプリケーション制御に用いるデータを、ローカル領域（記憶部）に記憶しておく。そして、電波状況が悪化して情報処理装置がオフラインとなった際に、記憶部に記憶しておいたデータを用いて、アプリケーション制御を行う（オフラインモード）。これにより、オフライン時でもアプリケーション制御を可能とすることができる。
【０００３】
特許文献１（特開平０７−２８８５６１号公報）には、データ処理装置からオンラインモード時に受信したデータの送信を行うか又は記録するかの選択が行われた後に、オフラインモードからオンラインモードへの切り替えを行うデータ通信装置が開示されている。このデータ通信装置は、不要なデータの送信又は記録を防止することができる。
【発明の概要】
【発明が解決しようとする課題】
【０００４】
しかし、特許文献１を含め、従来の情報処理装置は、弱い電波環境下で通信を行う場合、オンラインモード及びオフラインモードの切り替えが頻繁に行われ、安定したアプリケーション制御に支障を来す問題があった。
【０００５】
本発明は、上述の課題に鑑みてなされたものであり、安定したアプリケーション制御が可能となるように、アプリケーションのオンラインモード及びオフラインモードの切り替えを行うことができる情報処理装置及びアプリケーションプログラムの提供を目的とする。
【課題を解決するための手段】
【０００６】
上述した課題を解決し、目的を達成するために、本発明は、コンピュータを、ネットワーク上のサーバ装置との間で所定のデータの通信を行うように通信部を通信制御する通信制御部と、確立された通信回線を介して、サーバ装置との間で所定のデータの通信を行うオンラインモードと、サーバ装置との間で所定のデータの通信処理を行わないオフラインモードとに、所定のデータの通信モードを切り替え制御する切り替え制御部として機能させる。切り替え制御部は、通信状態が悪化した際に、オンラインモードからオフラインモードに通信モードを切り替え制御し、オフラインモードに切り替えられた通信モードを、オンラインモードに遷移させる所定の手動操作を検出した際に、オフラインモードからオンラインモードに通信モードを切り替え制御する。
【発明の効果】
【０００７】
本発明によれば、安定したアプリケーション制御が可能となるように、アプリケーションのオンラインモード及びオフラインモードの切り替えを行うことができるという効果を奏する。
【図面の簡単な説明】
【０００８】
【図１】図１は、実施の形態の情報処理システムのシステム構成図である。
【図２】図２は、実施の形態の情報処理システムに設けられている情報処理端末装置のハードウェア構成図である。
【図３】図３は、実施の形態の情報処理システムに設けられているサーバ装置のハードウェア構成図である。
【図４】図４は、実施の形態の情報処理システムに設けられている情報処理端末装置の機能ブロック図である。
【図５】図５は、実施の形態の情報処理システムに設けられている情報処理端末装置の通信モードの切り替え動作を説明するためのフローチャートである。
【図６】図６は、実施の形態の情報処理システムに設けられている情報処理端末装置において、通信モードの切り替え操作を行うアプリ設定画面の模式図である。
【発明を実施するための形態】
【０００９】
以下、添付図面を参照して、実施の形態の情報処理システムを詳細に説明する。
【００１０】
（システム構成）
図１は、実施の形態の情報処理システムのシステム構成図である。この図１に示すように、実施の形態の情報処理システムは、一つ又は複数の情報処理端末装置１及び一つ又は複数のサーバ装置２を、所定のネットワーク３を介して相互に接続して構成されている。ネットワーク３としては、例えばインターネット等の広域網の他、ＬＡＮ（Local  Area  Network）等のプライベート網を用いることができる。また、一例ではあるが、情報処理端末装置１は、無線端末装置となっており、ネットワーク３に接続された無線基地局４を介してサーバ装置２と無線通信を行うようになっている。
【００１１】
なお、この例では、無線通信端末装置１を設けることとしたが、無線通信端末装置１の代りに、又は無線通信端末装置１と共に、サーバ装置２との間で有線通信を行う有線通信端末装置を設けてもよい。いずれの場合も、後述と同様の効果を得ることができる。
【００１２】
（無線通信端末装置のハードウェア構成）
情報処理端末装置１としては、例えばスマートフォン又はタブレット端末装置等を用いることができる。図２は、このような情報処理端末装置１のハードウェア構成図である。図２に示すように、情報処理端末装置１は、ＣＰＵ（Center  Processing  Unit）４０１、ＲＯＭ（Read  Only  Memory）４０２、ＲＡＭ（Random  Access  Memory）４０３、ＥＥＰＲＯＭ（Electrically  Erasable  and  Programmable  Read  Only  Memory）４０４、ＣＭＯＳ（Complementary  Metal  Oxide  Semiconductor）センサ４０５、撮像素子インタフェース（撮像素子Ｉ／Ｆ）４０６、加速度・方位センサ４０７、メディアインタフェース（メディアＩ／Ｆ）４０９、ＧＰＳ（Global  Positioning  System）受信部４１１を備えている。
【００１３】
ＣＰＵ４０１は、情報処理端末装置１全体の動作を制御する。ＲＯＭ４０２は、ＩＰＬ（Initial  Program  Loader）等のＣＰＵ４０１の駆動に用いられるプログラムを記憶する。ＲＡＭ４０３は、ＣＰＵ４０１のワークエリアとして使用される。ＥＥＰＲＯＭ４０４には、アプリケーションプログラムが記憶されている。ＣＰＵ４０１は、このアプリケーションプログラムを実行することで、アプリケーションの通信モードの切り替え制御を行う。詳しくは、後述する。
【００１４】
ＣＭＯＳ(Complementary  Metal  Oxide  Semiconductor)センサ４０５は、ＣＰＵ４０１の制御に従って被写体の撮像光に対応する画像データを形成する。なお、ＣＭＯＳセンサ以外に、例えばＣＣＤ(Charge  Coupled  Device)イメージセンサ等の、他の撮像手段を用いてもよい。
【００１５】
撮像素子Ｉ／Ｆ４０６は、ＣＭＯＳセンサ４０５をバスライン４１０に接続するためのインタフェースである。加速度・方位センサ４０７は、地磁気を検知する電子磁気コンパス、ジャイロコンパス又は加速度センサ等の各種センサである。メディアＩ／Ｆ４０９は、例えばフラッシュメモリ等の記録メディア４０８をバスライン４１０に接続するためのインタフェースである。記録メディア４０８には、このメディアＩ／Ｆ４０９を介してデータの書き込み及び読み出しが行われる。ＧＰＳ受信部４１１は、ＧＰＳ衛星からＧＰＳ信号を受信する。
【００１６】
また、情報処理端末装置１は、遠距離通信回路４１２、ＣＭＯＳセンサ４１３、撮像素子Ｉ／Ｆ４１４、マイクロホン部４１５、スピーカ部４１６、音入出力Ｉ／Ｆ４１７、ディスプレイ４１８、外部機器接続Ｉ／Ｆ(Interface)４１９、近距離通信回路４２０、近距離通信回路４２０のアンテナ４２０ａ、及びタッチパネル４２１を備えている。
【００１７】
遠距離通信回路４１２は、通信部の一例であり、通信ネットワーク１００を介して、他の機器と間で通信を行う。ＣＭＯＳセンサ４１３は、ＣＰＵ４０１の制御に従って被写体を撮像して画像データを形成する。撮像素子Ｉ／Ｆ４１４は、ＣＭＯＳセンサ４１３をバスライン４１０に接続するインタフェースである。マイクロホン部４１５は、集音した音声に対応する電気信号である音声信号を形成する。スピーカ部４１６は、音声信号に対応する音楽又は音声等の音響出力を発音する。音入出力Ｉ／Ｆ４１７は、ＣＰＵ４０１の制御に従ってマイクロホン部４１５及びスピーカ部４１６との間で音声信号の入出力を処理する。
【００１８】
ディスプレイ４１８としては、例えばＬＣＤ（液晶表示部）又は有機ＥＬ(Electro  Luminescence)表示部等を用いることができ、図６を用いて後述するアプリ設定画面の他、被写体の画像、各種アイコン等を表示する。外部機器接続Ｉ／Ｆ４１９は、各種の外部機器を接続するためのインタフェースである。近距離通信回路４２０は、ＮＦＣ（Near  Field  Communication）又はＢｌｕｅｔｏｏｔｈ（登録商標）等の通信回路である。タッチパネル４２１は、例えば透明電極等で形成されており、ディスプレイ４１８上に設けられ、利用者の接触操作を検出する。
【００１９】
また、情報処理端末装置１は、バスライン４１０を備えている。バスライン４１０は、図２に示すＣＰＵ４０１等の各構成要素を電気的に接続するためのアドレスバス又はデータバス等である。
【００２０】
（サーバ装置のハードウェア構成）
図３は、サーバ装置２のハードウェア構成を示す図である。この図３に示すように、サーバ装置２は、ＣＰＵ５０１、ＲＯＭ５０２及びＲＡＭ５０３を有している。また、サーバ装置２は、ＨＤＤ(Hard  Disk  Drive)５０４、ＨＤＤコントローラ５０５、ディスプレイ５０６、外部機器接続Ｉ／Ｆ５０８、ネットワークＩ／Ｆ５０９、バスライン５１０、キーボード５１１及びメディアＩ／Ｆ５１６を備えている。
【００２１】
ＣＰＵ５０１は、サーバ装置２全体の動作を制御する。ＲＯＭ５０２は、ＩＰＬ等のＣＰＵ５０１の駆動に用いられるプログラムを記憶する。ＲＡＭ５０３は、ＣＰＵ５０１のワークエリアとして使用される。ＨＤＤ５０４は、プログラム等の各種データを記憶する。ＨＤＤコントローラ５０５は、ＣＰＵ５０１の制御に従ってＨＤＤ５０４に対する各種データの書き込み及び読み出しを制御する。ディスプレイ５０６は、カーソル、メニュー、ウィンドウ、文字、又は画像などの各種情報を表示する。
【００２２】
外部機器接続Ｉ／Ｆ５０８は、例えばＵＳＢ(Universal  Serial  Bus)メモリ又はプリンタ装置等の各種の外部機器を接続するためのインタフェースである。ネットワークＩ／Ｆ５０９は、ネットワーク３を介して、情報処理端末装置１との間でデータ通信を行うためのインタフェースである。バスライン５１０は、ＣＰＵ５０１等の各構成要素を電気的に接続するためのアドレスバスライン又はデータバスライン等である。
【００２３】
また、キーボード５１１は、複数のキーを備えており、文字、数値、各種指示等の入力を行う。なお、キーボード５１１は、設けなくてもよい。ポインティングデバイス５１２は、各種指示の選択、実行、処理対象の選択、又は、カーソルの移動等の入力操作を行う。メディアＩ／Ｆ５１６は、フラッシュメモリ等の記録メディア５１５に対するデータの書き込み（記憶）又は読み出しを制御する。
【００２４】
（ソフトウェア構成）
図４は、情報処理端末装置１のＣＰＵ４０１が、例えばＥＥＰＲＯＭ４０４等の記憶部に記憶されているアプリケーションプログラムを実行することで実現する各機能の機能ブロック図である。この図４に示すように、ＣＰＵ４０１は、アプリケーションプログラムを実行することで、スイッチ操作検出部１５１、通信制御部１５２、モード切り替え制御部１５３（切り替え制御部の一例）及び表示制御部１５４の各機能を実現する。
【００２５】
スイッチ操作検出部１５１は、後述するアプリ設定画面において、アプリケーションの通信モードをオフラインモードからオンラインモードに切り替えるための手動操作の有無を検出する。通信制御部１５２は、サーバ装置２との間で所定のデータの同期を行うように、遠距離通信回路４１２を制御する。モード切り替え制御部１５３は、サーバ装置２にリクエストを送付し、一定期間、サーバ装置２からレスポンスを受信しない場合に、アプリケーションの通信モードをオンラインモードからオフラインモードに切り替え制御する。
【００２６】
なお、アプリケーションのオンラインモードとは、無線基地局４との間に確立された無線通信回線を介して、サーバ装置２との間で所定のデータの同期処理が可能なモードである。アプリケーションのオフラインモードとは、オンラインモード中に予め取得した所定のデータに基づいて、アプリケーションプログラムの処理を行うモードである。「所定のデータ」は、アプリケーションプログラムによって特定されるデータである。
【００２７】
表示制御部１５４は、アプリケーションプログラムの通信モードを手動操作で切り替え操作するためのアプリ設定画面を表示する。モード切り替え制御部１５３は、アプリケーションの通信モードをオンラインモードからオフラインモードに切り替えた後は、アプリ設定画面を介して手動でオフラインモードからオンラインモードに切り替え操作された際に、アプリケーションの通信モードをオフラインモードからオンラインモードに復帰させる。
【００２８】
なお、この例は、スイッチ操作検出部１５１〜表示制御部１５４をソフトウェアで実現する例であるが、これらのうち、一部又は全部を、ＩＣ（Integrated  Circuit）等のハードウェアで実現してもよい。また、スイッチ操作検出部１５１〜表示制御部１５４が実現する機能は、アプリケーションプログラム単体で実現しても良いし、他のプログラムに処理の一部を実行させる、又は他のプログラムを用いて間接的に処理を実行させても良い。
【００２９】
また、アプリケーションプログラムは、インストール可能な形式又は実行可能な形式のファイルでＣＤ−ＲＯＭ、フレキシブルディスク（ＦＤ）等のコンピュータ装置で読み取り可能な記録媒体に記録して提供してもよい。また、アプリケーションプログラムは、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、アプリケーションプログラムは、インターネット等のネットワーク経由でインストールするかたちで提供してもよいし、機器内のＲＯＭ等に予め組み込んで提供してもよい。
【００３０】
（通信モードの切り替え動作）
図５は、実施の形態の情報処理システムに設けられている情報処理端末装置１にインストールされているアプリケーションプログラムの通信モードの切り替え制御の流れを示すフローチャートである。このフローチャートは、アプリケーションプログラムが起動されることでスタートとなり、ＣＰＵ４０１により、ステップＳ１から処理が実行される。
【００３１】
ステップＳ１では、図４に示す通信制御部１５２が、例えば５分置き等の所定時間毎に（不定期でもよい）、サーバ装置２に対して、データ同期のためのリクエストを送信する。ステップＳ２では、通信制御部１５２が、例えば１分等の所定の時間内に、サーバ装置２から上述のリクエストに対応するレスポンスを受信して、データ同期処理が正常に終了したか否かを判別する。
【００３２】
所定の時間内に、サーバ装置２からリクエストに対応するレスポンスを受信した場合（ステップＳ２：Ｙｅｓ）、そのまま、この図５のフローチャートに示す全処理を終了する。そして、通信制御部１５２は、全処理を終了してから例えば５分置き等の所定時間経過後に、再度、サーバ装置２に対して、データ同期のためのリクエストを送信し（ステップＳ１）、レスポンスの有無を判別する（ステップＳ２）。
【００３３】
これに対して、所定の時間内に、サーバ装置２からリクエストに対応するレスポンスを受信しなかった場合（ステップＳ２：Ｎｏ）、通信制御部１５２は、ステップＳ３で、データ同期処理の再処理（リトライ）の回数が、所定回数未満か否かを判別し、所定回数未満であった場合に（ステップＳ３：Ｙｅｓ）処理がステップＳ１に戻り、サーバ装置２に対して、再度、リクエストを送信し、データ同期処理を試みる。
【００３４】
一例ではあるが、通信制御部１５２は、データ同期処理に対して「３回」のリトライを行うようになっている。そして、３回のリトライを行っても、データ同期処理が正常に終了しなかった場合（ステップＳ３：Ｎｏ）、処理がステップＳ４に進む。
【００３５】
電波状況が悪い場所に情報処理装置１が位置している場合に、アプリケーションの通信モードをオンラインモードにしておくと、何度もリトライが発生してしまい、好ましいことではない。このため、ステップＳ４では、モード切り替え制御部１５４が、オンラインモードからオフラインモードへアプリケーションプログラムの通信モードの切り替え制御を行う。これにより、電波状況が悪い場所に情報処理端末装置１が位置している場合に、リトライが何度も発生する不具合を防止できる。
【００３６】
また、オンラインモードからオフラインモードへ、通信モードの切り替えが行われると、このオフラインモードとなっている間、表示制御部１５４は、定期又は不定期に、ディスプレイ４１８等の報知部を介して、サーバ装置２と未同期である旨の報知動作を行う。これにより、同期忘れによるメンバー間齟齬を無くすことができる。
【００３７】
次に、実施の形態の情報処理システムの場合、モード切り替え制御部１５３により、通信モードがオフラインモードに移行された場合、使用者等がディスプレイ４１８に表示されるアプリ設定画面を介して、手動でオンラインモードに復帰させるようになっている。
【００３８】
すなわち、オフラインモードに切り替えられた通信モードをオンラインモードに復帰させる場合、使用者は、タッチパネル４２１を操作して、アプリケーションプログラムの設定画面（アプリ設定画面：操作画面の一例）の表示を指定する。
【００３９】
表示制御部１５４は、アプリ設定画面の表示が指定操作されると、例えば図６に示す設アプリ定画面をディスプレイ４１８に表示制御する。アプリ設定画面には、オフラインモード及びオンラインモードを手動切り替え操作するためのモード切り替えスイッチ１６０が含まれている。
【００４０】
このモード切り替えスイッチ１６０は、操作スイッチ１６１を右方向に移動操作すると、通信モードがオフラインモードに切り替わり（オフラインポジション１６２）、操作スイッチ１６１を左方向に移動操作すると、通信モードがオンラインモードに切り替わるようになっている（オンラインポジション１６３）。
【００４１】
モード切り替え制御部１５３により、オフラインモードに切り替えられた場合、操作スイッチ１６１はオフラインポジション１６２となっている。このため、通信モードをオンラインモードに復帰させる場合、使用者は、操作スイッチ１６１を、オフラインポジション１６２からオンラインポジション１６３に移動操作する。
【００４２】
ステップＳ５では、スイッチ操作検出部１５１が、このような通信モードをオンラインモードに復帰させる手動操作の有無を監視している。そして、スイッチ操作検出部１５１は、タッチパネル４２１を介して、このような操作スイッチ１６１の操作を検出すると（ステップＳ５：Ｙｅｓ）、モード切り替え制御部１５３に通知を行う。
【００４３】
モード切り替え制御部１５３は、オフラインポジション１６２からオンラインポジション１６３への、操作スイッチ１６１の移動操作が通知されると、通信モードをオンラインモードに切り替える。そして、ステップＳ１において、通信制御部１５２により、再度、データ同期処理が実行される。
【００４４】
電波状況が悪い場所に情報処理端末装置１が位置している場合に、アプリケーションの通信モードを自動的にオンラインモードに復帰するようにしておくと、オンラインモード及びオフラインモードの切り替えが頻繁に行われ、好ましいことではない。このため、ステップＳ５では、使用者の手動によりオフラインモードからオンラインモードへの切り替えを実施する。この場合、使用者は電波状況が良い場所でオンラインモードに切り替えていることが期待できる。これにより、電波状況が悪い場所に情報処理端末装置１が位置している場合に、オンラインモード及びオフラインモードの切り替えが頻繁に行われる不都合を防止できる。
【００４５】
（実施の形態の効果）
以上の説明から明らかなように、実施の形態の情報処理システムは、情報処理端末装置１が、電波状況が悪い場合に、アプリケーションプログラムの通信モードを、オンラインモードからオフラインモードに切り替える。モード切り替え制御部１５３は、オフラインモードへの切り替えを行った場合、電場状況の良化の有無に関わらず、オフラインモードを維持する。そして、管理者等の使用者により、手動で、オフラインモードからオンラインモードへの切り替え操作が行われた際に、オフラインモードからオンラインモードへ、通信モードの切り替え制御を行う。
【００４６】
これにより、弱い電波環境下において、オンラインモード及びオフラインモードの切り替えが頻繁に行われ、安定したアプリケーション制御に支障を来す不都合を防止できる。
【００４７】
最後に、上述の実施の形態は、一例として提示したものであり、本発明の範囲を限定することは意図していない。この新規な実施の形態は、その他の様々な形態で実施されることが可能であり、発明の要旨を逸脱しない範囲で、種々の省略、置き換え、変更を行うことも可能である。また、実施の形態及び実施の形態の変形は、発明の範囲や要旨に含まれると共に、特許請求の範囲に記載された発明とその均等の範囲に含まれるものである。
【符号の説明】
【００４８】
１  情報処理端末装置
２  サーバ装置
３  ネットワーク
４  無線基地局
１５１  スイッチ操作検出部
１５２  通信制御部
１５３  モード切り替え制御部
１５４  表示制御部
１６０  モード切り替えスイッチ
１６１  操作スイッチ
１６２  オフラインポジション
１６３  オンラインポジション
【先行技術文献】
【特許文献】
【００４９】
【特許文献１】特開平０７−２８８５６１号公報
【図１】
2020177592.tif 000003
【図２】
2020177592.tif 000004
【図３】
2020177592.tif 000005
【図４】
2020177592.tif 000006
【図５】
2020177592.tif 000007
【図６】
2020177592.tif 000008